(57)【特許請求の範囲】
【請求項１】
垂直ケーブルマネージャであって、
支持柱と、前記支持柱の第１の端部に取り付けられている第１の上側支持脚部及び第２の上側支持脚部と、前記第１の端部の反対側に位置する前記支持柱の第２の端部に取り付けられている第１の下側支持脚部及び第２の下側支持脚部と、前記第１の上側支持脚部と前記第２の上側支持脚部との間に取り付けられている上側横梁と、前記第１の下側支持脚部と前記第２の下側支持脚部との間に取り付けられている下側横梁と、を具備するベースフレームと、
ドアパネルと、前記ドアパネルに固定されており且つ前記ドアパネルの角部それぞれに位置決めされているヒンジピン組立体であって、格納式ヒンジピンをそれぞれ含んでいる前記ヒンジピン組立体と、を具備するドアと、
を備えている前記垂直ケーブルマネージャにおいて、
前記上側横梁及び前記下側横梁それぞれが、前記格納式ヒンジピンそれぞれを受容するための第１のヒンジロッド受容口及び第２のヒンジロッド受容口と、第１の弾性ラッチ部材及び第２の弾性ラッチ部材と、を備えており、
前記第１の弾性ラッチ部材及び前記第２の弾性ラッチ部材それぞれが、横梁に接触しているベース部と、前記ベース部から延在しているフレキシブルアームと、前記フレキシブルアームから延在しており且つ前記ベース部の反対側に位置する前記フレキシブルアームの遠位端部に配置されているキャッチ部と、を備えており、
前記キャッチ部が、前記ドアが閉位置に位置している状態において、前記格納式ヒンジピンそれぞれを前記第１のヒンジロッド受容口及び前記第２のヒンジロッド受容口それぞれに固定し、前記キャッチ部が、前記ドアが開位置から閉位置に至るまで移動される場合に前記格納式ヒンジピンが前記第１のヒンジロッド受容口及び前記第２のヒンジロッド受容口を貫通して前記キャッチ部を通過するように、前記フレキシブルアームの弾性変形を介して屈曲可能とされる、前記垂直ケーブルマネージャ。
【請求項２】
前記ベースフレームが、前記ベースフレームに搭載されているケーブルフィンガユニットを備えている請求項１に記載の垂直ケーブルマネージャ。
【請求項３】
前記ベースフレームが、複数のスロットと開口部とを備えており、
前記ケーブルフィンガユニットが、前記ケーブルフィンガユニットを位置決めするために前記ベースフレームの複数の前記スロットに係合するように構成されている複数の突起と、前記ケーブルフィンガユニットを前記ベースフレームに固定するために前記ベースフレームの前記開口部に係合するように構成されている可撓性スナップ部材と、を備えている請求項２に記載の垂直ケーブルマネージャ。
【請求項４】
前記ケーブルフィンガユニットが、ベースと、前記ベースから延在している複数のフィンガであって、Ｌ字状構成をそれぞれ有している複数の前記フィンガと、を備えている請求項２に記載の垂直ケーブルマネージャ。
【請求項５】
前記支持柱が、背面パネルと、前記背面パネルの第１の側面に位置決めされている第１の側面パネルと、前記第１の側面の反対側に位置する前記背面パネルの第２の側面に位置決めされている第２の側面パネルと、を備えている請求項１に記載の垂直ケーブルマネージャ。
【請求項６】
前記支持柱が、複数の支持タブを備えており、
前記第１の上側支持脚部及び前記第２の上側支持脚部と前記第１の下側支持脚部及び前記第２の下側支持脚部とがそれぞれ、前記支持タブを受容するための支持タブ開口部を備えている請求項１に記載の垂直ケーブルマネージャ。
【請求項７】
対向する前記ヒンジピン組立体それぞれが、互いに対して反対方向に格納される請求項１に記載の垂直ケーブルマネージャ。
【請求項８】
前記ドアが、
第１のドアハンドル組立体及び第２のドアハンドル組立体と、
互いに対して反対側に位置する端部において対向する前記ヒンジピン組立体に接続されている第１のケーブル組立体及び第２のケーブル組立体であって、前記第１のドアハンドル組立体及び前記第２のドアハンドル組立体それぞれに係合している前記第１のケーブル組立体及び前記第２のケーブル組立体と、
を備えており、
前記第１のドアハンドル組立体及び前記第２のドアハンドル組立体の回転により前記第１のケーブル組立体及び前記第２のケーブル組立体を移動させ、これにより前記ヒンジピン組立体それぞれの前記格納式ヒンジピンを延在位置から格納位置に至るまで移動させる請求項１に記載の垂直ケーブルマネージャ。
【請求項９】
前記ヒンジピン組立体それぞれが、
前記ドアパネルに固定されており且つ前記格納式ヒンジピンを受容するように構成されているヒンジピン受容部と、
前記ヒンジピン受容部の内部に配置されているバネであって、前記格納式ヒンジピンを前記延在位置に向かって付勢するように、前記ヒンジピン受容部の一部分と前記格納式ヒンジピンとの間に位置決めされている前記バネと、
を備えている請求項８に記載の垂直ケーブルマネージャ。
【請求項１０】
前記第１のケーブル組立体及び前記第２のケーブル組立体それぞれが、ケーブルと、前記ケーブルの端部それぞれに接続されている接合部と、を備えており、
前記接合部が、前記第１のケーブル組立体及び前記第２のケーブル組立体を前記ヒンジピン組立体に接続させるように、前記格納式ヒンジピンそれぞれに係合しており、前記ケーブルが、ドアハンドル組立体のチャネルを通じて延在している請求項８に記載の垂直ケーブルマネージャ。
【請求項１１】
垂直ケーブルマネージャのためのベースフレームであって、支持柱と、前記支持柱の第１の端部に取り付けられている第１の上側支持脚部及び第２の上側支持脚部と、前記第１の端部の反対側に位置する前記支持柱の第２の端部に取り付けられている第１の下側支持脚部及び第２の下側支持脚部と、前記第１の上側支持脚部と前記第２の上側支持脚部との間に取り付けられている上側横梁と、前記第１の下側支持脚部と前記第２の下側支持脚部との間に取り付けられている下側横梁と、を具備する前記ベースフレームにおいて、
前記上側横梁及び前記下側横梁それぞれが、ドアの格納式ヒンジピンそれぞれを受容するための第１のヒンジロッド受容口及び第２のヒンジロッド受容口と、第１の弾性ラッチ部材及び第２の弾性ラッチ部材と、を備えており、
前記第１の弾性ラッチ部材及び前記第２の弾性ラッチ部材それぞれが、横梁に接続しているベース部と、前記ベース部から延在しているフレキシブルアームと、前記フレキシブルアームから延在しているキャッチ部であって、前記ベース部の反対側に位置する前記フレキシブルアームの遠位端部に配置されている前記キャッチ部と、を備えており、
前記キャッチ部が、前記ドアが閉位置に位置している状態において、前記格納式ヒンジピンそれぞれを前記第１のヒンジロッド受容口及び前記第２のヒンジロッド受容口それぞれに固定しており、前記キャッチ部が、前記ドアが開位置から閉位置に至るまで移動される場合に前記格納式ヒンジピンが前記第１のヒンジロッド受容口及び前記第２のヒンジロッド受容口を貫通して前記キャッチ部を通過するように、前記フレキシブルアームの弾性変形を介して屈曲可能とされる、ベースフレーム。
【請求項１２】
前記ベースフレームが、前記ベースフレームに搭載されているケーブルフィンガユニットを備えている請求項１１に記載のベースフレーム。
【請求項１３】
前記ベースフレームが、複数のスロットと開口部とを備えており、
前記ケーブルフィンガユニットが、前記ケーブルフィンガユニットを位置決めするために前記ベースフレームの複数の前記スロットに係合するように構成されている複数の突起と、前記ケーブルフィンガユニットを前記ベースフレームに固定するために前記ベースフレームの前記開口部に係合するように構成されている可撓性スナップ部材と、を備えている請求項１２に記載のベースフレーム。
【請求項１４】
前記ケーブルフィンガユニットが、ベースと、前記ベースから延在している複数のフィンガであって、Ｌ字状構成をそれぞれ有している複数の前記フィンガと、を備えている請求項１２に記載のベースフレーム。
【請求項１５】
前記支持柱が、背面パネルと、前記背面パネルの第１の側面に取り付けられている第１の側面パネルと、前記第１の側面の反対側に位置する前記背面パネルの第２の側面に取り付けられている第２の側面パネルと、を備えている請求項１１に記載のベースフレーム。
【請求項１６】
前記支持柱が、複数の支持タブを備えており、
前記第１の上側支持脚部及び前記第２の上側支持脚部と前記第１の下側支持脚部及び前記第２の下側支持脚部とがそれぞれ、前記支持タブを受容するための支持タブ開口部を備えている請求項１１に記載のベースフレーム。
【発明の詳細な説明】
【技術分野】
【０００１】
本発明は、概して、垂直ケーブルマネージャに関し、より具体的には、スラムシャットドアを有する垂直ケーブルマネージャに関する。
【背景技術】
【０００２】
マネージャを通って横断するケーブルを覆い及び保護するドアを有する垂直ケーブルマネージャは、当技術分野で周知されている。しかしながら、ドアを有する多くの垂直ケーブルマネージャは、スラムシャット機能を伴うドアを有しない、又は、垂直ケーブルマネージャがスラムシャット機能を有する場合、たくさんの構成要素を含み得及び組立費を増加させ得る、複雑又は非効率な設計を有する。
【０００３】
従って、少ない構成要素で及び組立費を減らす、簡略化された効率的な設計を有するスラムシャットドアを伴う垂直ケーブルマネージャが必要である。
【発明の概要】
【０００４】
一例では、垂直ケーブルマネージャは、ベースフレーム及びドアを備える。ベースフレームは、支持柱と、支持柱の第１の端部に取り付けられた第１の上側支持脚部及び第２の上側支持脚部と、第１の端部の反対側にある、支持柱の第２の端部に取り付けられた第１の下側支持脚部及び第２の下側支持脚部と、第１の上側支持脚部と第２の上側支持脚部との間に取り付けられた上側横梁と、第１の下側支持脚部と第２の下側支持脚部との間に取り付けられた下側横梁とを有する。ドアはドアパネル及びヒンジピン組立体を有し、ヒンジピン組立体は、それぞれ、ドアパネルに固定され及びドアパネルの各々の角に位置付けられる格納式ヒンジピンを含む。上側横梁及び下側横梁は、それぞれ、各々のヒンジピンを受容する第１及び第２のヒンジロッド受容口と、第１及び第２の弾性ラッチ部材とを有し、第１及び第２の弾性ラッチ部材は、それぞれ、横梁に接触するベース部と、ベース部から延在するフレキシブルアームと、ベース部の反対側にある、フレキシブルアームから略垂直に延在し且つフレキシブルアームの遠位端部に配置されるキャッチ部とを備える。キャッチ部は、ドアが閉位置にある状態で、ヒンジピンをヒンジロッド受容口内に固定し、ドアが開位置から閉位置まで移動するとき、ヒンジロッド受容口を通り且つキャッチ部を通過するヒンジピンの進行を可能にするように、フレキシブルアームの弾性変形によって屈曲可能である。
【０００５】
別の例では、垂直ケーブルマネージャ用のベースフレームは、支持柱と、支持柱の第１の端部に取り付けられた第１の上側支持脚部及び第２の上側支持脚部と、第１の端部の反対側にある、支持柱の第２の端部に取り付けられた第１の下側支持脚部及び第２の下側支持脚部と、第１の上側支持脚部と第２の上側支持脚部との間に取り付けられた上側横梁と、第１の下側支持脚部と第２の下側支持脚部との間に取り付けられた下側横梁とを備える。上側横梁及び下側横梁は、それぞれ、ドアの各々の格納式ヒンジピンを受容する第１及び第２のヒンジロッド受容口と、第１及び第２の弾性ラッチ部材とを有し、第１及び第２の弾性ラッチ部材は、それぞれ、横梁に接触するベース部と、ベース部から延在するフレキシブルアームと、ベース部の反対側にある、フレキシブルアームから略垂直に延在し且つフレキシブルアームの遠位端部に配置されるキャッチ部とを有する。キャッチ部は、ドアが閉位置にある状態で、ヒンジピンをヒンジロッド受容口内に固定し、ドアが開位置から閉位置まで移動するとき、ヒンジロッド受容口を通り且つキャッチ部を通過するヒンジピンの進行を可能にするように、フレキシブルアームの弾性変形によって屈曲可能である。
【０００６】
別の例では、垂直ケーブルマネージャ用のドアは、ドアパネル、対向する第１及び第２のヒンジピン組立体、ドアハンドルセンブリ、及びケーブル組立体を備える。ヒンジピン組立体は、ドアパネルに固定され、ドアパネルの各々の角に位置付けられる。各ヒンジピン組立体は垂直ケーブルマネージャの横梁内で格納可能な各々のヒンジロッドによって受容される格納式ヒンジピンを含む。ケーブル組立体は、対向するヒンジピン組立体に反対端部において接続され、ドアハンドル組立体を通って延在し、それにより、ドアハンドル組立体の回転により、ケーブル組立体をピン組立体から離れる方向に引っ張り、各々のヒンジピン組立体の格納式ヒンジピンを延在位置から格納位置まで移動させる。
【０００７】
本発明のある例は、付随の図面によって示される。図は必ずしも縮尺通りではなく、本発明の理解に必要ではない詳細、又は把握することが困難な他の詳細を表す詳細は省略され得ることを理解されたい。当然ながら、本発明は、必ずしも本明細書に示される特定の例に限定されないことを理解されたい。
【図面の簡単な説明】
【０００８】
【図１】本発明の実施形態による、例示的な垂直ケーブルマネージャの上部前面斜視図である。
【図２】図１の垂直ケーブルマネージャの一部の拡大上部前面斜視図である。
【図３】図１の垂直ケーブルマネージャのドアの上部前面斜視図である。
【図４】図３のドアの上部後面斜視図である。
【図５】図３のドアの分解上部前面斜視図である。
【図６】図３のドアのドアハンドル組立体の分解上部前面斜視図である。
【図７】図６のドアハンドル組立体の分解上部後面斜視図である。
【図８】図３のドアのドアハンドル組立体及びケーブル組立体の一部の分解上部後面斜視図である。
【図９】図３のドアのドアハンドル組立体の拡大後面平面図である。
【図１０】図３のドアのヒンジピン組立体の上部後面斜視図である。
【図１１】図１０のヒンジピン組立体の分解斜視図である。
【図１２】図１の垂直ケーブルマネージャのベースフレームの上部前面斜視図である。
【図１３】図１２のベースフレームの一部の拡大斜視図である。
【図１４】図１３のベースフレームの一部の部分分解図である。
【図１５】ケーブルフィンガユニットが取り外された、図１３のベースフレームの一部の分解図である。
【図１６】図２のＡ−Ａに沿って取られた断面図である。
【図１７】ドアが開位置にある、図１の垂直ケーブルマネージャの一部の拡大斜視部分切断図である。
【図１８】図１７の垂直ケーブルマネージャの一部の上面図である。
【図１９】ドアが部分的に閉位置にある、図１の垂直ケーブルマネージャの一部の拡大斜視部分切断図である。
【図２０】図１９の垂直ケーブルマネージャの一部の上面図である。
【図２１】ドアが閉位置にある、図１の垂直ケーブルマネージャの一部の拡大斜視部分切断図である。
【図２２】図２１の垂直ケーブルマネージャの一部の上面図である。
【発明を実施するための形態】
【０００９】
本明細書に示され及び説明される例は、ベースフレームと、ドアがラッチで閉鎖された肯定的承認を提供するスラムシャット特徴又は押し込み式閉鎖特徴を提供する少なくとも１つのドアとを有する、垂直ケーブルマネージャを提供する。例のスラムシャット特徴は、少ない構成要素を使用し、垂直ケーブルマネージャの組立費を減らす、簡略化され効率的な且つ低コストの設計を有する。
【００１０】
図１及び図２に示されるように、スラムシャットドア特徴を伴う例示的な垂直ケーブルマネージャ１０は、概して、ベースフレーム１００（図１２〜図１５）と、ドア２００（図３〜図１１）とを含む。一般的に、垂直ケーブルマネージャは、２つのドアを含む。
【００１１】
図１２〜図１５を参照すると、ベースフレーム１００は、概して、支持柱１０５と、上側支持脚部１３５Ａ及び下側支持脚部１３５Ｂと、上側横梁１４５Ａ及び下側横梁１４５Ｂとを含み、また、ケーブルフィンガユニット１７５を含み得る。支持柱１０５は、略平坦な背面パネル１１０と、背面パネル１１０の対向側に位置付けられ、背面パネル１１０に略垂直に延在する、側面パネル１１５とを含む。支持柱１０５は、金属が好ましく、背面パネル１１０及び側面パネル１１５を形成するように成形される材料の１つの単片によって形成されることができる。代替として、背面パネル１１０及び側面パネル１１５は、タブ、リベット、ネジ部材、溶接等による所望の任意の様式で一緒に取り付けられた別個の部分として形成されることができる。
【００１２】
上側支持脚部１３５Ａは、支持柱１０５の各々の側面パネル１１５の第１の端部又は上端部に取り付けられ、下側支持脚部１３５Ｂは、リベット６１０又は任意の他の所望の取り付け方法によって、支持柱１０５の各々の側面パネル１１５の対向する第２の端部又は底端部に取り付けられる。上側支持脚部１３５Ａ及び下側支持脚部１３５Ｂは、それぞれ、支持柱１０５と、上側支持脚部１３５Ａ及び下側支持脚部１３５Ｂとの間の剛性を増加させる、支持柱１０５の側面パネル１１５上で支持タブ１３０を受容する支持タブ開口部１４０（図１５参照）を含む。
【００１３】
上側支持脚部１３５Ａ及び下側支持脚部１３５Ｂは、ドア２００のための支持体表面として役割を果たすことができる、上側横梁１４５Ａ及び下側横梁１４５Ｂを受容する端部に幾何学形状を有する。上側横梁１４５Ａは上側支持脚部１３５Ａの対向する端部の間に取り付けられ、下側横梁１４５Ｂは、横梁１４５Ａ、１４５Ｂの内部で捕捉される、ネジ６００及びナット６０５で下側支持脚部１３５Ｂの対向する端部の間に取り付けられる。上側横梁１４５Ａ及び下側横梁１４５Ｂは、所望の任意の様式で上側支持脚部１３５Ａ及び下側支持脚部１３５Ｂに取り付けられることができる。しかしながら、横梁１４５Ａ、１４５Ｂは、ケーブルの設置を容易にするために取り外し可能であることが好ましい。上側横梁１４５Ａ及び下側横梁１４５Ｂのそれぞれはヒンジロッド受容口１５０を含み、示される例では、ヒンジロッド受容口１５０は、ヒンジピン３０５（図４参照）を受容し、弾性ラッチ部材１５５と連動しヒンジピン３０５を保持する、横梁１４５Ａ、１４５Ｂの中に形成されるスロットである。図１５及び図１６に最良に見られるように、ラッチ部材１５５は、スナップ式方法又は他の接続方法によって、ラッチ部材１５５を横梁１４５Ａ、１４５Ｂに接続するために使用されるベース部１６０を有する。下記に詳細に説明されるように、フレキシブルアーム１６５はベース部１６０から延在し、ドア２００が開位置から閉位置まで移動するとき、ラッチ部材１５５が、ヒンジピン３０５との係合により曲がり及び屈曲することが可能であるように弾性的に変形可能である。下記に詳細に説明されるように、キャッチ部１７０は、フレキシブルアーム１６５の遠位端部においてフレキシブルアーム１６５から延在し、ベース部１６０の反対側にあり、フレキシブルアーム１６５に略垂直であり、ドア２００が閉位置にあるとき、横梁１４５Ａ、１４５Ｂのヒンジロッド受容口１５０内にヒンジピン３０５を固定する。ラッチ部材１５５は、ラッチ部材１５５がヒンジピン３０５によって他の方法で撓まなければ、初期の閉位置に戻る弾性材料で作られている。
【００１４】
ケーブルフィンガユニット１７５は、垂直ケーブルマネージャ１０内のケーブルの経路指定及び整理を可能にするように、前面フランジ１１６又は背面パネル１１０に搭載されることができる。ケーブルフィンガユニット１７５のそれぞれは、ベース１９０と、ベース１９０から延在する複数のフィンガ１９５とを有し得る。示される例では、フィンガ１９５のそれぞれは、フィンガ１９５の間に送られるケーブルを保定する略Ｌ字状構成を有する。示される例では、ケーブルフィンガユニット１７５は、それぞれ、１５個のフィンガ１９５を有し、フィンガ１９５は、ベースフレーム１００を覆う少ない数のケーブルフィンガユニット１７５が必要であり、従って、コストは減るが、所望の任意の数のフィンガを含み得る。加えて、ケーブルフィンガユニット１７５のフィンガ１９５は、ケーブルに曲げ半径及び平坦外側表面を提供するように、内向きに対面する弓形表面を有する。従って、ベースフレーム１００の対向する左側及び右側のケーブルフィンガユニット１７５は、相互にミラーバージョンであろう。加えて、示される例では、ケーブルフィンガユニット１７５は、前方に延在するフィンガ及び後方に延在するフィンガを提供するように、ベースフレーム１００上に搭載される。しかしながら、ケーブルフィンガユニット１７５は、所望の任意の組み合わせ及び方向で搭載されることができる。例えば、ケーブルフィンガユニット１７５は、前方に延在するフィンガを提供するように、ベースフレーム１００だけに搭載され得る。
【００１５】
図１４に最良に見られ得るように、ケーブルフィンガユニット１７５は、フィンガ１９５の反対側にある、ベース１９０の背面から延在するケーブルフィンガユニット１７５上に形成される複数のＴ字状突起１８０によって、ベースフレーム１００の支持柱１０５上に位置付けられ得る。ケーブルフィンガユニット１７５は、また、ケーブルフィンガユニット１７５の背面上に形成される１つ以上の可撓性スナップ部材１８５によって、支持柱１０５に固定されることができる。ケーブルフィンガユニット１７５上のＴ字状突起１８０は、ベースフレーム１００の支持柱１０５内に形成される複数のスロット１２０に係合するように構成され、ケーブルフィンガユニット１７５が、適切に整列及び位置付けられることが可能になり、可撓性スナップ部材１８５は、ベースフレーム１００の支持柱１０５内に形成される開口部１２５に係合及びロックするように構成され、ケーブルフィンガユニット１７５を取り外し可能に固定する。従って、ケーブルフィンガユニット１７５を位置付け及び設置する道具が必要ではなくなり、組立及び設置を簡略化し、コストを減らすようになる。
【００１６】
図３〜図５を参照すると、ドア２００は、概して、ドアパネル２０５、ヒンジピン組立体３００（図８及び図１０〜図１１）、ケーブル組立体４００、及びドアハンドル５００（図６〜図９）を含む。ドアパネル２０５は、ドア外板２０７と、ドア外板２０７の対向する上端部及び底端部に接続されるカバー２２０とを含み得る。カバー２２０は、それぞれ、中央係合リブ２２５を有し、中央係合リブ２２５は、ドア２００が開位置から閉位置まで移動するとき、接点の第１の点である。中央係合リブ２２５が横梁１４５Ａ、１４５Ｂに接触するとき、ドア２００は、上向きに楔状になり、ヒンジピン３０５の近くの閉鎖エリアの近くで摩擦を減らしている。カバー２２０は、また、尖った前面、角のある溝、及びドア外板２０７の対応する遷移エッジに適合する遷移エッジ等の独特な形状特徴を含み得る。示される例では、ブレース２３０は、また、ドア外板２０７に固定され、ドア２００に剛性を加え、ケーブル組立体４００が張っていないとき、ケーブル組立体４００を隠すことができる。任意の数のブレース２３０は、ドア外板２０７に、リベット６１５で、又は所望の任意の他の手段によって固定されることができる。
【００１７】
ヒンジピン組立体３００は、ドアパネル２０５の角においてドアパネル２０５に固定される。図３〜図５に最良に見られ得るように、ヒンジピン組立体３００はドアパネル２０５に固定され、その状態では、対向する上側及び下側のヒンジピン組立体３００は、反対方向に延在及び後退する。例えば、（図３〜図５の方向に示されるように）上側ヒンジピン組立体は下向きに後退し、（図３〜図５の方向に示されるように）下側ヒンジピン組立体は上向きに後退する。図８、図１０、及び図１１を参照すると、ヒンジピン組立体３００のそれぞれはヒンジピン受容部３３０を含み、ヒンジピン受容部３３０は、ドアパネル２０５、格納式ヒンジピン３０５、及びバネ３２５に固定可能である。ヒンジピン受容部３３０は、概して、円筒状であり、バネ３２５及びヒンジピン３０５を受容する。ヒンジピン３０５は、ヒンジピン受容部３３０の内部に部分的に配置され、ヒンジピン受容部３３０を通って延在し、その状態では、ヒンジピン３０５のドアポスト部３１０はヒンジピン受容部３３０の片側に位置し、第２の部（ケーブル組立体４００の接合部４１０を受容する逃げ孔３１５を有する）は、ドアポスト部３１０の反対側にある、ヒンジピン受容部３３０の第２の側に位置する。下記に詳細に説明されるように、ヒンジピン３０５のドアポスト部３１０は、ドア２００が開位置から閉位置まで移動するとき、横梁１４５Ａ、１４５Ｂのヒンジロッド受容口１５０によって受容される。バネ３２５は、ヒンジピン受容部３３０とヒンジピン３０５との間で、ヒンジピン受容部３３０の内部に配置され、ヒンジピン３０５を延在位置に向かって付勢する。
【００１８】
下記に詳細に説明されるように、ケーブル組立体４００は、対向する上側及び下側のヒンジピン組立体３００に相互接続し、ドアハンドル組立体５００の各々に係合し、これにより、ドアハンドル組立体５００の回転により、各々の対向する上側及び下側のヒンジピン組立体３００のヒンジピン３０５を格納する。各ケーブル組立体４００は、対向するヒンジピン組立体３００に反対端部において接続される。図５、図８〜図９、及び図１１を参照すると、ケーブル組立体は、それぞれ、ケーブル４０５と、ケーブル４０５の各端部に接続される接合部４１０とを含む。接合部４１０は、ヒンジピン３０５を、ヒンジピン組立体３００に接続されるケーブル組立体４００に係合し、示される例では、２２−１８ＡＷＧワイヤリングに使用されることができるＰａｎｄｕｉｔ（登録商標）ＢＳ１８バットスプライスである。
【００１９】
ケーブル組立体４００をヒンジピン組立体３００に接続するために、ケーブル組立体４００の接合部４１０は、ヒンジピン３０５の縦軸に対して非垂直角度で、ヒンジピン３０５内の逃げ孔３１５を通って挿入される（図８参照）。次に、接合部４１０がヒンジピン３０５と同軸になるまで、接合部４１０は回転する。ヒンジピン３０５上の重なりタブ３２０は、重なりタブ３２０の間に、接合部４１０の外径よりも小さい間隔を有し、それにより、重なりタブ３２０は、いったん回転すると接合部４１０を捕らえ、押し込み式ロック特徴の機能を果たす。
【００２０】
図６〜図９に最良に見られるように、ドアハンドル組立体５００はそれぞれ、ドア外板２０７の反対側にそれぞれ位置付けられるドアハンドルバッキング５１５に接続されたドアハンドル５０５を含む。ドアハンドル５０５及びドアハンドルバッキング５１５は、ドア２００の縦軸を中心とするミラーイメージであり、同じ構成要素をドア２００の左側及び右側の両方で使用することを可能にする。ドアハンドル５０５は、ユーザがドアハンドル組立体５００を回転させ、ドア２００を引くとき、ドアハンドル５０５を握ることを可能にするアンダーカット部５０７を有する。ドアハンドル５０５は、ドアパネル２０５のドア外板２０７内の開口部２１０を通って延在し、ドアハンドルバッキング５１５の係合スロット５３５（図６）と連結する係合リブ５１０（図７）を有し、これにより、ドアハンドル組立体５００は、それぞれ、単一の存在物として回転する。
【００２１】
ドアハンドルバッキング５１５は、ドアハンドル５０５の各々の反対側に位置付けられ、キー５２０（図６）を有し、キー５２０は、ヒンジピン３０５を格納するために既定方向に（示される例では、外向きに）ドアハンドル組立体５００の回転に合わせて、ドアパネル２０５のドア外板２０７内の鍵状切り欠き２１５と係合する。
【００２２】
ケーブル組立体４００のケーブル４０５は、延在位置でヒンジピン３０５とのドア２００の縦軸に対して約４５度の角度において、各々のドアハンドルバッキング５１５内のチャネル５２５を通って延在する。図６に最良に見られるように、チャネル５２５の各端部は、ケーブル４０５に曲げ半径を提供し、ドアハンドル組立体５００が回転するとき、ケーブル４０５の動きを定義する、曲げ半径制御セクション５３０を有する。
【００２３】
本明細書に説明され及び示される例示的な垂直ケーブルマネージャ１０は、様々な幅及び高さで生じ得る。垂直ケーブルマネージャ１０の高さを変化させることは、追加の、又はより大きい／小さいケーブルフィンガユニット１７５及び対応する高さのドア２００を用いて、異なる高さの支持柱１０５の使用によって達成することができる。垂直ケーブルマネージャ１０の幅を変化させることは、より広い／狭い支持柱１０５と、対応する幅の横梁１４５Ａ、１４５Ｂと、ドア２００との使用によって達成することができる。高さ及び幅の変化は、無数の高さ及び幅を生じさせるように組み合わせられることができる。
【００２４】
図１６、図２１〜図２２に見られ得るように、ドア２００が閉位置にあるとき、ヒンジピン３０５は延在位置にあり、弾性ラッチ部材１５５のキャッチ部１７０は、ヒンジロッド受容口１５０内でヒンジピン３０５を固定し、これは、ドア２００を閉位置に固定し、ドア２００が引き開くことを防止する。この状態では、ヒンジピン組立体３００のバネ３２５は圧縮を受け、延在位置に向かってヒンジピン３０５を付勢し、ケーブル組立体４００のケーブル４０５に張力をもたらし、これは、ケーブル４０５の垂直整列を強制し、ドアハンドル組立体５００を拘束したままにする。
【００２５】
ドア２００の片側を開くために、ドアハンドル５０５の１つは回転し、ヒンジピン３０５がラッチ部材１５５を外すまで、ドア２００の各々の側でヒンジピン３０５を格納し、ドア２００が引き開き、ドア２００の反対側又は閉鎖側でヒンジピン３０５を中心に回転することを可能にする。ドアハンドル組立体５００のドアハンドル５０５の回転により、ケーブル組立体４００を移動させ、ケーブル組立体４００のケーブル４０５をヒンジピン組立体３００から離れる方向に引っ張り、ヒンジピン組立体３００のヒンジピン３０５を引っ張り、ヒンジピン３０５を延在位置から格納位置まで移動させ、ラッチ部材１５５を外す。いったんドア２００を引き開けると、ドアハンドル５０５が解放され、ケーブル４０５の張力を緩め、バネ３２５がヒンジピン３０５を格納位置から延在位置まで移動させることを可能にする。
【００２６】
図１７〜図２０を参照すると、ドア２００を閉じるために、ヒンジピン３０５がヒンジロッド受容口１５０内で受容され、ラッチ部材１５５に係合するまで、ドア２００は閉位置に向かって押される（図１７〜図１８）。ドア２００が閉位置に向かってさらに押されるとき、ヒンジピン３０５のそれぞれは、ヒンジロッド受容口１５０を通って進行し続け、フレキシブルアーム１６５及びラッチ部材１５５の縦軸に対して鋭角に延在する、キャッチ部１７０の傾斜表面１７２に係合する。ヒンジピン３０５は、傾斜表面１７２に沿って摺動し、傾斜表面１７２は、フレキシブルアーム１６５の弾性変形によって、ヒンジピン３０５から離れるようにキャッチ部１７０を押し且つ屈曲させる（図１９〜図２０）。キャッチ部１７０の屈曲により、ドア２００が押して閉じられ、開位置から閉位置まで移動するとき、ヒンジピン３０５が、ヒンジロッド受容口１５０を通って且つキャッチ部１７０を通過するように進行し続けることを可能にする。ヒンジピン３０５がキャッチ部１７０を通過して移動するとき、キャッチ部１７０は、フレキシブルアーム１６５の弾力性により初期位置又は閉位置に戻るように移動し、それにより、キャッチ部１７０は、ヒンジロッド受容口１５０内でヒンジピン３０５を固定し、これは、ドア２００を閉位置に固定し、ドア２００が引き開くことを防止する（図２１〜図２２）。
【００２７】
本発明の特定の実施形態が示され及び説明されているが、本発明のより広い態様において本発明から逸脱することなく、変更及び修正がされ得ることは当業者には明らかである。従って、付属の請求項の目的は、本発明の真の主旨および範囲内に収まる全ての係る変化及び修正を網羅することである。前述の説明及び添付図面に説明される事項は、限定ではなく例示としてのみ提供されている。本発明の実際の範囲は、先行技術に基づいてその適切な観点で考えるとき、以下の「特許請求の範囲」に定義されることが意図される。
【符号の説明】
【００２８】
１００    ベースフレーム
１０５    支持柱
１１０    背面パネル
１１５    側面パネル
１３０    支持タブ
１３５Ａ  上側支持脚部
１３５Ｂ  下側支持脚部
１４０    支持タブ開口部
１４５Ａ  上側横梁
１４５Ｂ  下側横梁
１５０    ヒンジロッド受容口
１５５    弾性ラッチ部材
１６０    ベース部
１６５    フレキシブルアーム
１７０    キャッチ部
１７５    ケーブルフィンガユニット
２００    ドア
３０５    ヒンジピン
６０５    ナット
６１０    リベット
【図１】
0006961789.tif 000002
【図２】
0006961789.tif 000003
【図３】
0006961789.tif 000004
【図４】
0006961789.tif 000005
【図５】
0006961789.tif 000006
【図６】
0006961789.tif 000007
【図７】
0006961789.tif 000008
【図８】
0006961789.tif 000009
【図９】
0006961789.tif 000010
【図１０】
0006961789.tif 000011
【図１１】
0006961789.tif 000012
【図１２】
0006961789.tif 000013
【図１３】
0006961789.tif 000014
【図１４】
0006961789.tif 000015
【図１５】
0006961789.tif 000016
【図１６】
0006961789.tif 000017
【図１７】
0006961789.tif 000018
【図１８】
0006961789.tif 000019
【図１９】
0006961789.tif 000020
【図２０】
0006961789.tif 000021
【図２１】
0006961789.tif 000022
【図２２】
0006961789.tif 000023